(57)【特許請求の範囲】
【請求項１】
互に直角を形成する第１辺縁部と第２辺縁部とを有しその中心部軸方向を貫通して形成させたところの両端部に前記直角を形成する第１辺縁部と第２辺縁部に対し４５度の角度で形成させた断面四角形状の取付孔を有する貫通孔を設けた基材部と、この基材部の外側に位置し互いに直交する方向へ突設した一対の外側取付片及びこの各外側取付片に沿ってその内側に形成されたところの前記組立ラックの外包囲材の縁部を挿入させる一対の取付溝と、この各取付溝の内側に沿って形成され前記各取付溝に挿入される外包囲材を内側から支える役目を果たすために設けられた平板状の前記外側取付片よりも高い内側取付片とを備えた４本の金属製の支柱と、
互に直角を形成する第１辺縁部と第２辺縁部とを有しその中心部軸方向を貫通して形成させたところの両端部に前記直角を形成する第１辺縁部と第２辺縁部に対し４５度の角度で形成させた断面四角形状の連結孔を有する貫通孔を設けた基材部と、この基材部の外側に位置し互いに直交する方向へ突設した一対の外側取付片と、この各外側取付片に沿ってその内側に形成されたところの前記組立ラックの外包囲材の縁部を挿入させる一対の取付溝と、この各取付溝の内側に沿って形成され前記各取付溝に挿入される外包囲材を内側から支える役目を果たすために設けられた前記外側取付片よりも高い平板状の内側取付片とを備えた８本の金属製の連結パイプと、
前記支柱の取付孔と前記連結パイプの連結孔へ挿入させる断面四角形状の挿入突起と同じく断面四角形状の連結突起を有する８個のコーナー金具と、
前記各支柱と前記各連結パイプの各取付溝に挿入係止される５枚の外包囲材と、
前記支柱のいずれか一つのものに開閉可能に取り付けられる１枚の蓋体或は扉体とで構成され、
前記蓋体或は扉体の自由端側の支柱の内側取付片を、閉じられた前記蓋体或は扉体の自由端側を当接させる当接片と成したことを特徴とする、組立ラック。
【発明の詳細な説明】
【０００１】
【発明の属する技術分野】
本発明は、堅固な構成を有する各種サイズの組立ラックの骨格を形成させる骨格形成材並びにこの骨格形成材を用いた組立ラックに関する。
【０００２】
【従来の技術並びに発明が解決しようとする課題】
従来、板材を用いて組立が容易にできる組立ラックが公知であるが、これらのものは支柱や連結部材のような骨格を形成する部材を有していないので、堅固とは言い難く、使用中にちょっとした荷重が加わると容易に変形してしまい、耐用性に欠けるという問題があった。
【０００３】
また、支柱や連結部材のような骨格を形成する部材を有しているものもあるが、プラスチック製であったりすることから、耐久性の点でなお問題があったり或は組み立てが複雑であったりするという問題があった。
【０００４】
本発明の目的は、各種サイズの組立ラックに対応でき、かつ現場で容易に組立ができ、その上堅固で耐久性の高い組立ラックの骨格形成材並びにこの骨格形成材を用いた組立ラックを提供せんとするにある。
【０００５】
【課題を解決するための手段】
上述した目的を達成するために本発明は、互に直角を形成する第１辺縁部と第２辺縁部とを有しその中心部軸方向を貫通して形成させたところの両端部に前記直角を形成する第１辺縁部と第２辺縁部に対し４５度の角度で形成させた断面四角形状の取付孔を有する貫通孔を設けた基材部と、この基材部の外側に位置し互いに直交する方向へ突設した一対の外側取付片及びこの各外側取付片に沿ってその内側に形成されたところの前記組立ラックの外包囲材の縁部を挿入させる一対の取付溝と、この各取付溝の内側に沿って形成され前記各取付溝に挿入される外包囲材を内側から支える役目を果たすために設けられた平板状の前記外側取付片よりも高い内側取付片とを備えた４本の金属製の支柱と、互に直角を形成する第１辺縁部と第２辺縁部とを有しその中心部軸方向を貫通して形成させたところの両端部に前記直角を形成する第１辺縁部と第２辺縁部に対し４５度の角度で形成させた断面四角形状の連結孔を有する貫通孔を設けた基材部と、この基材部の外側に位置し互いに直交する方向へ突設した一対の外側取付片と、この各外側取付片に沿ってその内側に形成されたところの前記組立ラックの外包囲材の縁部を挿入させる一対の取付溝と、この各取付溝の内側に沿って形成され前記各取付溝に挿入される外包囲材を内側から支える役目を果たすために設けられた前記外側取付片よりも高い平板状の内側取付片とを備えた８本の金属製の連結パイプと、前記支柱の取付孔と前記連結パイプの連結孔へ挿入させる断面四角形状の挿入突起と同じく断面四角形状の連結突起を有する８個のコーナー金具と、前記各支柱と前記各連結パイプの各取付溝に挿入係止される５枚の平板状の外包囲材と、前記支柱のいずれか一つのものに開閉可能に取り付けられる１枚の蓋体或は扉体とで構成され、前記蓋体或は扉体の自由端側の支柱の内側取付片を、閉じられた前記蓋体或は扉体の自由端側を当接させる当接片と成したことを特徴とする。
【０００６】
【発明の実施の形態】
図面は本発明の一実施の形態を示す。図１と図２において、指示記号１で示されたのが支柱を形成する金属製の部材であり、アルミサッシのように抜き加工によって製造される。表面にはナンジアルマイト加工を施してある。この支柱１は、外側へ露出する部分の縁部１ｍを構成するところの互いに直角を形成する第１辺縁部１ｊと第２辺縁部１ｋの角部にアール１ａをつけ、直角を形成する第１辺縁部１ｊと第２辺縁部１ｋに対し４５度の位置に軸方向へ両端部において四角形状の取付孔１ｂ，１ｃを有する断面四角形状の貫通孔１ｄを設けた中空状の基材部１ｈと、この基材部１ｈの外側に位置し互いに直交する方向へ突設した一対の外側取付片１ｆと、この各外側取付片１ｆに沿ってその内側に形成されたところの前記組立ラックの外包囲材の縁部を挿入させる一対の取付溝１ｉと、この各取付溝１ｉの内側に沿って形成され前記各取付溝１ｉに挿入される後述する外包囲材を内側から支える役目を果たすために設けられた前記外側取付片１ｉよりも高い平板状の内側取付片１ｆとを備えている。尚、支柱１の縁部１ｍの第１辺縁１ｊと第２辺縁部１ｋの軸方向には、装飾用の溝１ｇが形成されている。
【０００７】
図３において、指示記号２で示されたものが、コーナー金具である。このコーナー金具２は、上面と下面を平坦とした角状のもので、上述した支柱１の外部へ露出する部分と面一となる部分には、同じくアール２ａが付けられ、支柱１と同ピッチの複数の装飾用の溝２ｂが形成されている。このコーナー金具２の下端部軸方向には、支柱１の取付孔１ｂ，１ｃへ挿入固定される該取付孔１ｂ，１ｃと同じ四角形状を呈した挿入突起２ｃが突設されると共に、該コーナー金具２の挿入突起２ｃに対して直交する方向であって、互いに直角を形成する方向へ連結突起２ｄ，２ｅが突設されている。尚、この連結突起２ｄ，２ｅの形状も四角形状を呈している。このコーナー金具２はダイキャスト製品であることが好ましく、実施例のものは表面をナンジニッケル加工を施してある。
【０００８】
図４と図５において、指示記号３で示されたものは連結パイプである。上述した支柱１と同じ材料同じ形状であり、アルミサッシのように抜き加工によって製造され、表面にはナンジアルマイト加工をしてある。この連結パイプ３は、外側へ露出する部分の縁部３ｍを構成するところの互いに直角を形成する第１辺縁部３ｊと第２辺縁部３ｋの角部にアール３ａをつけ、直角を形成する第１辺縁部３ｊと第２辺縁部３ｋに対し４５度の位置に軸方向へ両端部において四角形状の取付孔３ｂ，３ｃを有する四角形状の貫通孔３ｄを設けた基材部３ｈと、この基材部３ｈの外側に位置し互いに直交する方向へ突設した一対の外側取付片３ｆと、この各外側取付片３ｆの内側に沿って形成された取付溝１ｉと、この取付溝３ｉの内側に沿って形成され前記各取付溝３ｉに挿入される後述する外包囲材を内側から支える役目を果たすために設けられた前記外側取付片３ｆよりも高い平板状の内側取付片３ｅとを備えている。尚、連結パイプ３の外側へ露出する部分の軸方向には、装飾用の溝３ｇが形成されている。
【０００９】
図６乃至図８は、上述した組立ラックの骨組形成材を用いて組立ラックを組み立てる場合を示す。予め長尺物（約４ｍ）で供給される支柱１を、注文に応じて適当な長さに４本切り揃えたものを用い、各支柱１の上下端部に設けた挿入孔１ｂ，１ｃへ８個の各コーナー金具２の挿入突起２ｃを挿入させる。次いで、支柱１と同じ長尺物より注文に応じた長さの連結パイプ３を８本切り出して揃え、この各連結パイプ３の各連結孔３ｂ，３ｃへ各コーナー金具２の連結突起２ｄ，２ｅを挿入させると、とくに図７に示したような組立ラックの骨格４が形成される。尚、上記の組み立て方は一例であるので、説明した順序に限定されない。先に各連結パイプとコーナー金具を連結させてしまっても良いし、各支柱ごとにコーナー金具と連結パイプと組み付けるようにしても良い。
【００１０】
そして、このように組み立てた骨格４の周囲に、木材、合板、金属板等の用途に応じて選択された５枚の平板状の外包囲材５及び１枚の扉体６が取り付けられることにより、組立ラック７が組み立てられるものである。尚、９は鉄板その他の基台である。基台の代わりに用途によって移動式のものはキャスターを取り付ける場合がある。そして、各外包囲材５は、支柱１や連結パイプ３より突設した外側取付片にビス等を用いて固着され、扉体６はその一側端部に取り付けた筒状のヒンジ片６a，６aを支柱１や連結パイプ３より突設させたピボットピン８，８に開閉可能に蝶着させると共に、この扉体６の自由端側に位置する支柱１の内側取付片１ｅと上下の連結パイプ３，３の各内側取付片３ｅ，３ｅは、閉じた扉体６の縁部を当接させる当接片として用いられている。尚、蝶着手段に限定はない。図示の組立ラックは縦型のものであるが、横型のものは、扉体に代えて蓋体となる。
【００１１】
【発明の効果】
本発明は以上のように構成したので、次のような効果を奏し得る。
【００１２】
本発明は以上のように構成したので、部品点数が少なく、かつ誰でもが簡単に用途に応じた各種サイズの堅固な組立ラック用の骨格を容易に形成させることができるという効果と、支柱と連結パイプを同じ材料で構成すると、注文に応じて長天物より切り揃えれば良く、様々な要望に対応することができるという効果を奏し得る上に、誰でもが簡単に耐久性を有する堅固な組立ラックを容易に組み立てることができ、サイズも好みに応じて選択でき、さまざまなサイズの要望に答えることができるという効果を奏し得る。
【図面の簡単な説明】
【図１】本発明に係る支柱の一部を省略した斜視図である。
【図２】図１に係る支柱のＡ−Ａ線断面図である。
【図３】本発明に係るコーナー金具の斜視図である。
【図４】本発明に係る連結パイプの一部を省略した斜視図である。
【図５】図５に係る連結パイプのＢ−Ｂ線断面図である。
【図６】本発明に係る組立ラック用骨格形成材の組立方法を説明する説明図である。
【図７】本発明に係る組立ラックの分解斜視図である。
【図８】本発明に係る組立ラックの組立完了状態の斜視図である。
【符号の説明】
１  支柱
１ａ  アール
１ｂ、１ｃ  取付孔
１ｄ  貫通孔
１ｅ  内側取付片
１ｆ  外側取付片
１ｈ  基材部
１ｉ  取付溝
１ｊ  第１辺縁部
１ｋ  第２辺縁部
１ｍ  縁部
２  コーナー金具
２ｃ  挿入突起
２ｄ，２ｅ  連結突起
３  連結パイプ
３ａ  アール
３ｂ、３ｃ  取付孔
３ｄ  貫通孔
３ｅ  内側取付片
３ｆ  外側取付片
３ｈ  基材部
３ｉ  取付溝
３ｊ  第１辺縁部
３ｋ  第２辺縁部
３ｍ  縁部
４  骨格
５  外包囲材
６  扉体
７  組立ラック
８  ピボットピン
【図１】
0004722240.tif 000002
【図２】
0004722240.tif 000003
【図３】
0004722240.tif 000004
【図４】
0004722240.tif 000005
【図５】
0004722240.tif 000006
【図６】
0004722240.tif 000007
【図７】
0004722240.tif 000008
【図８】
0004722240.tif 000009